(57)【要約】【課題】梱包した状態で内部に砂や埃又は水滴等を進入させることが無く、しかも製品を梱包した状態での紙製ケースの取り扱いを容易にする。【解決手段】角筒状の紙製ケース１を形成している各側面片２、３の上下の端縁にそれぞれ折曲げ部４、７を介して底蓋片５、６と上蓋片８、９を各々一体に形成するとともに、該上蓋片８、９と底底片５、６を折曲げ部４、７を介して折り曲げることによって閉鎖した箱状に形成される紙製ケース１であって、該紙製ケース１の互いに対向した側面片３、３の下方に上辺を除いた３片をコ字形に切り込みすることによって折曲げ片１２を形成し、この折曲げ片１２を紙製ケース１の内方へ折り曲げして、この折曲げ片１２を紙製ケース１内に収納した製品を保持させているトレー又はパッキン等の緩衝部材Ｐの下面と係合させる。【選択図】図７
2005343519.tif 000002
【特許請求の範囲】
【請求項１】
角筒状の紙製ケースを形成している各側面片の上下の端縁にそれぞれ折曲げ部を介して底蓋片と上蓋片を各々一体に形成するとともに、該底蓋片と上蓋片を前記折曲げ部を介して折り曲げることによって閉鎖した箱状に形成される紙製ケースであって、該紙製ケースの互いに対向した側面片の下方に上辺を除いた切り込みを入れることによって折曲げ片を形成し、この折曲げ片を紙製ケースの内方へ折り曲げして、この折曲げ片を紙製ケース内に収納した製品を保持させているトレー又はパッキン等の緩衝部材の下面と係合させるようにしたことを特徴とする包装用紙製ケース。
【請求項２】
厚紙によって形成されるとともに、複数の被包装体を平面上に載置するようにした載置片と、該載置片の両側縁に沿ってほぼ直角に上方へ折り曲げされる側片を形成するとともに、前記側片の折り曲げ線と交差するように側片と載置片にかけて間隔を隔てて形成した一対のスリットの間に両端が前記側片と載置片とに連結された折曲げ片を形成し、該折曲げ片を載置部の上面側に向けて突出させるように折り曲げて突出部を形成し、該突出部によって載置片上に載置した被包装体の移動を規制させるとともに、前記紙製ケースの折曲げ片を紙製ケースの内方へ折り曲げしたときに、この紙製ケースの折曲げ片を前記トレーの折曲げ片によって形成されるトレー下面の凹部と係合させるようにしたことを特徴とする請求項１の包装用紙製ケース。
【請求項３】
前記トレーの載置片に円筒状の被包装体の載置位置に対応させて被包装体の中心から放射状に形成した複数の切込みによって外周部が載置片と接合された複数の折曲げ片を円周方向に形成したことを特徴とする請求項２に記載の包装用紙製ケース。
【請求項４】
厚紙を折り曲げ形成して円筒状製品を平面上に支持する底部片と、該底部片から所定間隔を隔てて上方側に配置されるとともに円筒状の製品を個別に収容する複数の開口を形成した上面片、及び、これらの底部片と上面片とを所定間隔を隔てて連結させている側片とによって角筒状のトレーを形成し、前記両側片に内方へ折り曲げされる折曲げ片を形成し、この折曲げ片をトレーの内側へ折り曲げすることによって前記底部片と上面片との間隔を維持させるとともに、前記紙製ケースの折曲げ片を収容するための開口を前記両側片に形成するようにしたことを特徴とする請求項１の包装用紙製ケース。
【発明の詳細な説明】
【技術分野】
【０００１】
本発明は動力釘打機等によって使用する連結釘等の比較的重量の重い製品を収容するとともに、内部に製品を変形しないように保持する包装用紙製ケースに関する。
【背景技術】
【０００２】
一般的に工場生産された製品を出荷する場合には、製品を紙製ケース等に梱包して工場から販売店へ、また、販売店からユーザーへ搬送するが、この際に製品を収納した紙製ケースをパレットや車に積み込んだり、又は車から作業現場へ運ぶ際には、作業者が紙製ケースに手を掛けて持ち運ぶことが行われる。しかしながら、一般的な紙製ケースでは外周面に手を掛ける凹部等が形成されていないため、重量の重い製品を収納した紙製ケースの取り扱いが困難となっている。また、家電製品等においては、紙製ケースの上部に取っ手を形成するための開口を形成して、この開口から紙製ケース内へ手指を差し込んで紙製ケースを持ち運びできるようにしたものがある。しかしながら、動力釘打機で使用する連結釘等の重量の大きな製品を収納した紙製ケースでは、重量によって紙製ケースの開口の縁が破損してしまったり、又は、開口の縁によって手指を痛めたりしてしまう等の問題があった。
【０００３】
このような重量物を収納した紙製ケースの取り扱いを容易にするように、筒状のケース本体を構成する側面片の上下両端に折曲げ部を介して上下片を一体に形成し、これらの上下片をそれぞれ内側へ折り曲げることによって箱形に形成される紙製ケースにおいて、製品を収納したときに形成される空間に対応する部位の前記側面片と上下片に、切込みによって折曲げ片を形成し、この折曲げ片を紙製ケース内に突出させるように折り込んで、この折曲げ片によって紙製ケース内に収納した製品を安定させるようにした紙製ケースが提案されている。このように形成された紙製ケースでは、紙製ケースの側面に紙製ケース内に向けて折り込んだ折曲げ片によって紙製ケースの外側面に凹部が形成され、この凹部に手指を差し込むことによって製品を収納した紙製ケースの取り扱いが容易にできるようにしている。
【特許文献１】特開２００４−４３００２号公報
【０００４】
更に、圧縮空気等の動力によって駆動する動力釘打機等で使用する連結釘等の連結ファスナーでは、多数の金属製のファスナーが可撓性の連結体によって連結されるとともに渦巻き状に巻回されて円筒状に形成されおり、このような連結ファスナーを釘打機等の工具に形成されている円筒状のマガジン内に収容して工具に形成されている送り機構によって順次打ち込み部へ供給するようにしているため、紙製ケース等に収納された連結ファスナーが搬送中の振動等によって円筒形状が変形してしまうとファスナーの供給ができなくなってしまう。従って、このような連結ファスナーを収納する包装容器では輸送中の振動等によって連結ファスナーの変形を防止するために、円筒状の凹部が多数形成されたプラスチック製のトレーを使用し、このトレーの凹部内に複数の連結釘を収容して、この連結釘を収容したトレーを紙製ケース内に積層して収納して包装していた。
【発明の開示】
【発明が解決しようとする課題】
【０００５】
上記従来の紙製ケースでは、箱形のケースの対向した２辺の肩部に間隔を隔てて一対のスリットを形成してこの一対のスリットの間に形成された折曲げ片を紙製ケースの内方へ向けて折り曲げして、紙製ケースの外側面に凹部を形成させているので、この折曲げ部分の両側に紙製ケースの内外を連通させた開口が形成されており、例えば砂や埃又は水滴等が製品を収納した紙製ケース内に進入してしまい、連結釘や連結体等の製品を汚してしまったり、又は錆を発生させてしまうことがあった。
【０００６】
また、連結ファスナー等の円筒状製品を紙製ケースに収納する従来のトレーでは、トレーの材料としてプラスチック材使用しているため、使用した後のトレーを廃棄する際の処分（焼却等）が環境上の問題となることがある。現在では環境を保護するという観点から、トレーの材料としてプラスチック材は極力用いないことが望まれている。また、一般的にプラスチック製のトレーは薄い材料によって成型されているため、紙製ケースから取り出した複数の連結釘を作業現場へ運ぶ際に、プラスチック製のトレーに載せたままで持ち運ぶことができず、別の小箱などの容器を用意する必要があった。
【０００７】
本発明は上記従来技術における問題点を解消し、梱包した状態では内部に砂や埃又は水滴等を進入させることが無く、しかも製品を梱包した紙製ケースの取り扱いが容易にでき、更に、振動等による製品の変形を防止できる製品包装用の紙製ケースを提供することを課題とする。
【課題を解決するための手段】
【０００８】
本発明の包装用紙製ケースは、角筒状の紙製ケースを形成している各側面片の上下の端縁にそれぞれ折曲げ部を介して底蓋片と上蓋片を各々一体に形成するとともに、該底蓋片と上蓋片を前記折曲げ部を介して折り曲げることによって閉鎖した箱状に形成される紙製ケースであって、該紙製ケースの互いに対向した側面片の下方に上辺を除いた３片をコ字形に切り込みすることによって折曲げ片を形成し、この折曲げ片を紙製ケースの内方へ折り曲げして、この折曲げ片を紙製ケース内に収納した製品を保持させているトレー又はパッキン等の緩衝部材の下面と係合させるようにしたことを特徴とする。
【０００９】
請求項２の発明は、厚紙によって形成されるとともに、複数の被包装体を平面上に載置するようにした載置片と、該載置片の両側縁に沿ってほぼ直角に上方へ折り曲げされる側片を形成するとともに、前記側片の折り曲げ線と交差するように側片と載置片にかけて間隔を隔てて形成した一対のスリットの間に両端が前記側片と載置片とに連結された折曲げ片を形成し、該折曲げ片を載置部の上面側に向けて突出させるように折り曲げて突出部を形成し、該突出部によって載置片上に載置した被包装体の移動を規制させるとともに、前記紙製ケースの折曲げ片を紙製ケースの内方へ折り曲げしたときに、この紙製ケースの折曲げ片を前記トレーの折曲げ片によって形成されるトレー下面の凹部と係合させるようにしたことを特徴とする。
【００１０】
請求項３の発明は、前記トレーの載置片に円筒状の被包装体の載置位置に対応させて被包装体の中心から放射状に形成した複数の切込みによって外周部が載置片と接合された複数の折曲げ片を円周方向に形成したことを特徴とする。
【００１１】
請求項４の発明は、厚紙を折り曲げ形成して円筒状製品を平面上に支持する底部片と、該底部片から所定間隔を隔てて上方側に配置されるとともに円筒状の製品を個別に収容する複数の開口を形成した上面片、及び、これらの底部片と上面片とを所定間隔を隔てて連結させている側片とによって角筒状のトレーを形成し、前記両側片に内方へ折り曲げされる折曲げ片を形成し、この折曲げ片をトレーの内側へ折り曲げすることによって前記底部片と上面片との間隔を維持させるとともに、前記紙製ケースの折曲げ片を収容するための開口を前記両側片に形成するようにしたことを特徴とする。
【発明の効果】
【００１２】
請求項１に係る発明によれば、角筒状の紙製ケースを形成している各側面片の上下の端縁にそれぞれ折曲げ部を介して底蓋片と上蓋片を各々一体に形成するとともに、該底蓋片と上蓋片を前記折曲げ部を介して折り曲げることによって閉鎖した箱状に形成される紙製ケースであって、該紙製ケースの互いに対向した側面片の下方に上辺を除いた３片をコ字形に切り込みすることによって折曲げ片を形成し、この折曲げ片を紙製ケースの内方へ折り曲げして、この折曲げ片を紙製ケース内に収納した製品を保持させているトレー又はパッキン等の緩衝部材の下面と係合させるようにしているので、通常時には製品を包装した紙製ケースの内外を閉鎖させて、塵埃や雨水等の進入を防止するため、製品を汚したり又は錆を発生してしまうことが防止できる。更に、紙製ケースを持ち運びする際には、前記折曲げ片と緩衝材等を介して紙製ケースを把持することができるので、重量の大きい製品を包装した場合でも紙製ケースを破損したりすることがなく、また、開口の縁部によって手指を損傷してしまうことが防止できる。
なお、厚紙よりも段ボール紙の方が軽量化できるため、扱いが容易である。
【００１３】
請求項２に係る発明によれば、厚紙によって形成されるとともに、複数の被包装体を平面上に載置するようにした載置片と、該載置片の両側縁に沿ってほぼ直角に上方へ折り曲げされる側片を形成するとともに、前記側片の折り曲げ線と交差するように側片と載置片にかけて間隔を隔てて形成した一対のスリットの間に両端が前記側片と載置片とに連結された折曲げ片を形成し、該折曲げ片を載置部の上面側に向けて突出させるように折り曲げて突出部を形成し、該突出部によって載置片上に載置した被包装体の移動を規制させるようにしているので、トレーの載置片上に載置した連結ファスナーの周囲の空間がトレーに形成した折曲げ片によって埋められ、これによって連結ファスナーが搬送中の振動や衝撃等によって移動することが無く、その渦巻き状の巻き形態が緩んだり、変形したり、又は位置ずれが生じたりすることがなく、安定した状態で確実に連結ファスナーを輸送することができる。
【００１４】
また、トレーを段ボール紙により形成することにより、資源として回収して再利用することが可能であり、プラスチック材のトレーを廃棄する際の環境汚染等の問題が発生することがない。また、段ボール紙自体の剛性が大きいため、紙製ケースから取り出した複数の連結ファスナー等の製品を、トレーに載置した状態で容易に持ち運ぶことが可能となる。
【００１５】
更に、紙製ケースの対向した側面片の下部に形成した折曲げ片を紙製ケースの内方へ折り曲げしたときに、この折曲げ片を前記トレーの折曲げ片によって形成されるトレー下面の凹部と係合させるようにしているので、連結ファスナー等の製品を収納した状態での紙製ケースを持ち運びする際には、前記紙製ケースに形成した折曲げ片と紙製ケース内に収納されている下段のトレーを介して連結ファスナー等の製品を収納している紙製ケースを把持することができ、紙製ケースを破損してしまったり、また、開口の縁部によって手指を損傷してしまうことがない。
【００１６】
請求項３に係る発明によれば、前記トレーの載置片に円筒状の被包装体の載置位置に対応させて被包装体の中心から放射状に形成した複数の切込みによって外周部が載置片と接合された複数の折曲げ片を円周方向に形成しているので、例えば中心部が上方へ山形に膨出した山形巻きの連結ファスナーのような形態の円筒状製品を積層して紙製ケース収納したときに、前記切込みを介して下段側の製品の上部と上段側の製品の下部とを互いに係合させることができ、多段状に積層して収容する紙製ケースの高さ寸法を小さくすることができるとともに、製品の変形を確実に防止することができる。
【００１７】
請求項４に係る発明によれば、厚紙を折り曲げ形成して円筒状製品を平面上に支持する底部片と、該底部片から所定間隔を隔てて上方側に配置されるとともに円筒状の製品を個別に収容する複数の開口を形成した上面片、及び、これらの底部片と上面片とを所定間隔を隔てて連結させている側片とによって角筒状のトレーを形成し、前記両側片に内方へ折り曲げされる折曲げ片を形成し、この折曲げ片をトレーの内側へ折り曲げすることによって前記底部片と上面片との間隔を維持させるとともに、前記紙製ケースの折曲げ片を収容するための開口を前記両側片に形成するようにしているので、円筒形状の製品の外周面側を上面片に形成した円形の開口内に収容することによって、円筒形状の製品の外周面を保持しているので、円筒状製品の変形が確実に防止できる。
【発明を実施するための最良の形態】
【００１８】
本発明は、梱包した状態では内部に砂や埃又は水滴等を進入させることが無く、しかも製品を梱包した紙製ケースの取り扱いを容易にするという目的を、角筒状の紙製ケースを形成している各側面片の上下の端縁にそれぞれ折曲げ部を介して上蓋片と底部片を各々一体に形成するとともに、該上蓋片と下底片を前記折曲げ部を介して折り曲げることによって閉鎖した箱状に形成される紙製ケースであって、該紙製ケースの互いに対向した側面片の下方に上辺を除いた切り込みによって折曲げ片を形成し、この折曲げ片を紙製ケースの内方へ折り曲げして、この折曲げ片を紙製ケース内に収納した製品を保持させているトレー又はパッキン等の緩衝部材の下面と係合させることにより実現したもので、以下により具体的な実施例を説明する。
【実施例１】
【００１９】
図１は本発明の実施例に係る比較的重量の大きな製品を収納した包装用の紙製ケース１を示すもので、この紙製ケース１は段ボール紙等の厚紙から構成され、図２の展開図に示すように、紙製ケース１の前後方向の各側面を形成する側面片２、２と、紙製ケース１の左右の各側面を形成する側面片３、３と、各側面片２、３の下縁に折曲げ部４を介して一体に形成されている底蓋片５、６及び、各側面片２、３の上縁に折曲げ部７を介して一体に形成されている上蓋片８、９とから構成されている。なお、１０は接合片であり、この接合片１０により側面部２と側面部３の端縁とが連結されて４つの側面片２、３によって角筒状の紙製ケースが形成されている。
【００２０】
角筒状の紙製ケース１を形成している各側面片２、３の下縁に連結されている底蓋片５、６を折曲げ部４を介して内側へ折り曲げて、これらの４辺の底蓋片５、６を隣接した底蓋片５、６と交互に上下に組み合わせることによって底部が形成される。底部が形成された紙製ケース１内へパッキン材等の緩衝部材を介して重量の大きな製品を収納した後、紙製ケース１の上縁に連結されている上蓋片８、９を折曲げ部７を介して内側へ折り曲げることによって、紙製ケース１の上部を閉鎖するようにしている。
【００２１】
図２の展開図に示すように、前記左右の側面を形成している側面片３、３には、各側面片３の下縁に沿って形成されている折曲げ部４とほぼ並行したコ字形の切込み１１が形成されており、コ字形の切込み１１によって上辺部が折曲げ部１３を介して側面部３と一体に連結された折曲げ片１２が形成されている。紙製ケース１内へ製品を収容した時にはこの折曲げ片１２は側面部３と同一の平面上に配置されて、この折曲げ片１２によって形成される開口を閉鎖しており、搬送中における砂や埃又は雨水等が紙製ケース１内へ侵入することを防止している。
【００２２】
図３に示すように、折曲げ部１３の部分から前記折曲げ片１２を紙製ケースの内方へ向けて折り曲げることによって、紙製ケース１の側面片３に開口が形成されて紙製ケース１を持ち運ぶための手指をこの開口から紙製ケース１内へ差し込むことが可能になる。更に、図４に示すように、紙製ケース１内へ折り曲げられた折曲げ片１２を、紙製ケース内に収納されている重量物の製品Ａを保持しているパッキンや緩衝材Ｐなどの下面側に係合させるようにしている。このように、紙製ケース１内へ折り曲げた折曲げ片１２を緩衝材Ｐ等と係合させることによって、この折曲げ片１２によって形成された開口から紙製ケース１内へ挿入した手によって紙製ケース１を持ち運びする際に、この折曲げ片１２と緩衝材Ｐを介して重量の大きい製品Ａを把持することができ、製品Ａの重量によって紙製ケース１を破損してしまうことが無く、また、紙製ケース１の開口の端縁によって指を損傷してしまうことが防止できる。
【００２３】
なお、切込みはコ字形に限定されない。折り曲げ部１３を共通の１辺とする折り曲げ片１２の形状が、三角形、五角形等の多角形でもよく、あるいは切込みの形状が円弧、Ｕ字形、Ｖ字形等であってもよい。また、切込みは切断切込み以外に、ミシン目、スリット等の折曲げ部１３を指で容易に折り曲げられる破断誘導構成でもよい。このことは、後述の他の実施例においても同様である。
【００２４】
次に、上記実施例の紙製ケース１によって例えば連結釘、連結ピン、連結ネジなどの連結ファスナーを渦巻き状に巻回した製品等の円筒状の製品を収納して包装するのに適したトレーの実施例を説明する。多数の釘などのファスナーを可撓性の連結体によって等間隔に連結した連結ファスナーは、図１７及び図１８に示すように渦巻き状に巻回されて形成されており、この連結釘を釘打機等の工具に形成されている円筒状のマガジン内に装填して釘打機に形成されている供給機構によって順次打ち込み部へ供給するようにしている。渦巻き状に巻回した連結ファスナーの形状としては、図１７に示すように渦巻きの中心部から外周部にかけて釘Ｎの頭部Ｈが上下方向に交互に重なるように巻回したフラット巻きの連結ファスナーＦ１と、図１８に示すように、外周側の釘Ｎの頭部Ｈを内周側の釘Ｎの頭部Ｈの下面側に重なるように巻回することによって、中心部の釘Ｎの頭部Ｈが上方へ山形状に膨出した山形巻きの連結ファスナーＦ２とがある。
【実施例２】
【００２５】
図５乃至図８は、上記フラット巻きの連結ファスナーＦ１を５コ単位で平面状に載置して、紙製ケース１内へ多段に積層して包装できるようにしたトレー２０の実施例を示すものであり、図５の展開図に示すように、このトレー２０は平坦な段ボール紙等の厚紙によって形成され、前後方向の端部に各２個、中央部に１個の連結ファスナーＦ１を平面状に配置するようにした載置部２１の両側に沿って折曲げ部２３を介して側片２２が一体に形成され、この両側の側片２２の内側に５コの連結ファスナーＦ１が配置される。更に、この折曲げ部２３と交差するように載置部２１と側片２２にかけて一対のスリット２４が間隔を隔てて形成されており、この一対のスリット２４の間に両端が載置部２１と側片２２に連結された折曲げ片２５が形成されている。
【００２６】
図６に示すように、載置部２１の両側の折曲げ部２３を介して両側片２２を上方へほぼ垂直に折り曲げするとともに、前記折曲げ片２５を該折曲げ片２５の両端の折曲げ部２６ａを谷折りするとともに折曲げ片２５の中央部の折曲げ部２６ｂを山折りすることによって折曲げ片２５を載置部２１の上面側内方へ向けて突出させるように折り曲げ形成する。このように載置部２１の上面側内方へ向けて突出させた折曲げ片２５は、載置部２１の中央に配置された連結ファスナーＦ１の両側と、前後方向の端部に配置されている２つの連結ファスナーの間に配置されて、トレー２０の載置部２１上の両側片２２の間に載置された５コの連結ファスナーＦ１が移動しないように保持する。
【００２７】
図７に示すように、トレー２０の載置部２１上に連結ファスナーＦ１を載置させた状態で、このトレー２０を前記紙製ケース１内に多段に積層して収容する。この紙製ケース１の側面片３にはコ字形の切込み１１によって上辺部が折曲げ部１３を介して側面部３と一体に連結された折曲げ片１２が形成されおり、紙製ケース１へ前記トレー２０を収容した時にはこの折曲げ片１２は側面部３と同一の平面上に配置され、搬送中における雨水等が紙製ケース１内へ侵入することを防止している。従って、連結ファスナーＦ１に水が付着する等によってファスナーに錆が発生するのが防止できる。
【００２８】
図８に示すように、紙製ケース１内にトレー２０上に載置されて積層して収納されている連結ファスナーＦ１は、トレー２０と紙製ケース１の側面部２、３の内面によって移動が規制されるため搬送中の振動や衝撃等によって渦巻き形状が変形してしまうことが防止される。また、トレー２０を段ボール紙から構成することにより、積層状態の上端側と下段側の連結ファスナーＦ１の間には段ボール紙によって形成されているトレー２０の載置部２１が介在しているので上下方向の振動や衝撃が緩衝されるため変形が防止される。
【００２９】
そしてこのように紙製ケース１に収納されて包装された連結ファスナーＦ１を作業現場へ持ち運びする際には、紙製ケース１の側面部３に形成されている折曲げ片１２を紙製ケース１の内方へ向けて折り曲げすることによって、この折曲げ片１２がトレー２０の折曲げ片２５の下面側に形成されている凹部内に進入して、折曲げ片１２がトレーの下面と係合される。そして折曲げ片１２によって形成された開口から紙製ケース１内へ挿入した手によって紙製ケース１を持ち上げると、折曲げ片１２とトレー２０を介して紙製ケース１内に収容されている重量の大きい連結ファスナーＦ１を持ち運ぶことができ、紙製ケース１を破損してしまったり紙製ケース１の開口の端縁によって指を損傷してしまうことが防止できる。
【実施例３】
【００３０】
図９乃至図１１は山形巻き態様の連結ファスナーＦ２を５個単位で平面状に載置して、紙製ケース１内へ多段に積層して包装できるようにしたトレー３０の実施例を示すものである。図９の展開図で示すように、トレー３０は、前述の実施例と同様に段ボール紙等の厚紙によって形成されており、連結ファスナーＦ２を平面状に配置するようにした載置部３１の両側に沿って折曲げ部３３を介して側片３２が一体に形成され、この両側片３２の間に５コの連結ファスナーＦ２が配置される。更に、この折曲げ部３３と交差するように載置部３１と側片３２にかけてスリット３４が間隔を隔てて形成され、このスリット３４の間に両端が載置部３１と側片３２に連結された折曲げ片３５が形成されている。
【００３１】
図１０に示すように、両側片３２を上方へほぼ垂直に折り曲げするとともに、前記折曲げ片３５を前述の実施例と同様に載置部３１の上面側内方へ向けて突出させて、折曲げ片３５を載置部３１の中央に配置された連結ファスナーＦ２の両側と、前後方向の端部に配置されている２つの連結ファスナーＦ２の間に配置して、トレー３０の載置部３５上の両側片３２の間に載置された５個の連結ファスナーＦ２が移動しないように保持する。
【００３２】
更に、この実施例に係るトレー３０では、中央部が上方へ膨出した山形巻きの態様の連結ファスナーＦ２を載置する載置部３１に、各々の連結ファスナーＦ２の載置位置に対応させて、連結ファスナーＦ２の巻回中心部から放射方向に延びた切込み３６が円周方向に沿って多数形成されており、隣接した一対の切込み３６の間にほぼ三角形状の折曲げ片３７が形成されており、この折曲げ片３７は切込み３６の外側の端部間に形成される折曲げ部３８を介して前記載置部３１と連結されている。
【００３３】
図１１に示すように、載置部３１上に中央部が上方へ膨出した山形巻きの連結ファスナーＦ２を載置したトレー３０を紙製ケース１内へ収納すると、上段側のトレー３０の下面が下段側のトレー３０に載置されている連結ファスナーＦ２の上方へ膨出している頂部と当接されて、前記折曲げ片３７が折曲げ部３８の部分から上方へ折り曲げされて、下段側の連結ファスナーＦ２の下面側に形成されている凹部内へ進入して、下段側の連結ファスナーＦ２の頭部と上段側の連結ファスナーＦ２の先端との間に前記折曲げ片３７が挟持されるように配置される。このように、下段側の連結ファスナーＦ２の膨出している頭部が上段側の連結ファスナーＦ２の下面側に形成される凹部内に進入することによって、上段側と下段側の連結ファスナーＦ２自体の移動が抑止されることにより連結ファスナーＦ２の変形が防止できる。
【００３４】
なお、紙製ケース１の側面部３に形成されている折曲げ片１２を紙製ケース１の内方へ向けて折り曲げすることによって、この折曲げ片１２が下段側の連結ファスナーＦ２を載置しているトレー３０の折曲げ片３５の下面側に形成される凹部内に進入して該凹部の下面と係合され、この下段側のトレー３０を介して紙製ケース１を持ち運びすることが可能な点は前述の実施例と同様である。
【００３５】
実施例３に関るトレー３０は、紙製ケース1内へ多列に包装してもよい。
【実施例４】
【００３６】
図１２乃至図１５は更に別の実施例にかかるトレーを示すもので、この実施例の連結ファスナーＦ１のトレー４０では、前後方向の端部に各２個、中央部に１個の連結ファスナーＦ１を配置するようにした上面片４１の両側に折曲げ部４２を介して一体に連設された側面片４３、及びこれらの側面片４３に折曲げ部４４を介して連設されている底部片４５によって形成され、前記底部片４５、４５の一部を重ね合わせして接着することによって図１３及び図１４に示すように角筒状のトレー４０が形成される。
【００３７】
前記上面片４１には千鳥状に配置される５つの連結ファスナーに対応して、渦巻き状に巻回されている連結ファスナーＦ１を収容する円形の開口４６が形成されており、連結ファスナーＦ１をこの開口４６内に収容することによって連結ファスナーＦ１の移動、変形を防止するようにしている。更に、前記折曲げ部４２、４４の中央部分にはこれらの折曲げ部４２、４４に沿って形成された一対の切込み４７ａと、これらの対向する切込み４７ａ間に形成された切込み４７ｂによって形成された一対の折曲げ片４８が両側の側片４３に形成されている。
【００３８】
角筒状に形成されたトレー４０は不使用時には図１３に示すように扁平な形態にして保管されているが、前記側面片４３に形成されている折曲げ片４８を折曲げ部４９を介してトレー４０の内方へほぼ直角となるように折り曲げすることによって、図１４に示すように、折曲げ片４８の上下の側縁が上面片４１と底部片４５の間に介在されてトレー４０を角筒状に保持し上面片４１と底部片４５とを所定間隔に維持する。この底部片４５によって連結ファスナーＦ１の各釘の先端を支持し、更に上面片４１に形成された円形の開口４６によって連結ファスナーＦ１の最外周側の釘の軸部の外周面が支持されるようにしている。
【００３９】
図１５に示すように、連結ファスナーＦ１を保持させたトレー４０を紙製ケース１内へ多段状態に積層して収納すると、トレー４０の上面片４１に形成した開口４６によって連結ファスナーＦ１の前後左右方向の移動が規制されるため搬送中の振動や衝撃等によって渦巻き形状が変形してしまうことが防止される。また、トレー４０を段ボール紙とすることにより、積層状態の連結ファスナーＦ１は段ボール紙によって形成されているトレー４０の底部片４５が間に介在しているので上下方向の振動や衝撃が緩衝されるため変形が防止される。
【００４０】
そしてこのように連結ファスナーＦ１を収容した紙製ケース１を作業現場へ持ち運びする際には、紙製ケース１の側面部３に形成されている折曲げ片１２を折曲げ部１３部分から紙製ケース１の内方へ向けて折り曲げることによって、この折曲げ片１２がトレー４０の側片４３に形成されている折曲げ片４８をトレー４０の内側へ折り曲げることによって形成されている開口からトレー４０の内側に進入して、この紙製ケース１の側面片３に形成した折曲げ片１２がトレー４０の上面片４１の下面側と係合される。そして折曲げ片１２によって形成された開口から紙製ケース１内へ挿入した手によって紙製ケース１を持ち上げると、折曲げ片１２と下面側のトレー４０を介して紙製ケース１内に収容されている重量の大きい連結ファスナーＦ１を持ち運ぶことができ、紙製ケース１を破損してしまったり、紙製ケース１の開口の端縁によって指を損傷してしまうことが防止できる。
【００４１】
上記実施例に係るトレー４０では、釘頭部が平坦な形態に巻かれているフラット巻きの連結ファスナーＦ１に適用させたものであるが、上記トレー４０の底部片４５に前述の実施例に示すトレー３０と同様な放射状に形成した切込み５０ａにより折曲げ片５０を形成することによって、図１６に示すように、山形巻きの連結ファスナーＦ２をトレー４０に載置して紙製ケース１に積層して収納したときに、下段側の連結ファスナーＦ２の上方へ膨出している釘の頭部によって、上段側のトレー４０の前記折曲げ片５０を上方へ折り曲げして、下段側の連結ファスナーＦ２の各釘の頭部を上段側の連結ファスナーＦ２の下面側に形成される凹部内へ嵌合させるようにすることによって、上段側と下段側の連結ファスナーＦ２自体の移動が抑止されることにより山形巻きの連結ファスナーＦ２の変形を防止することができる。
【産業上の利用可能性】
【００４２】
本発明の紙製ケース１は連結ファスナーＦ１、Ｆ２の包装に限定されることなく、重量の大きな製品を包装する紙製ケース１に利用することが可能である。更に、本発明のトレーは、連結ファスナーＦ１、Ｆ２の収納に限定されるものではなく、搬送中の変形を防止する必要のある円筒状の製品全般に適用することが可能である。
【図面の簡単な説明】
【００４３】
【図１】製品を収納した状態の本発明の紙製ケースを示す斜視図
【図２】図１の紙製ケースの展開図
【図３】側面片に形成した折曲げ片を内側へ折り曲げした状態の紙製ケースを示す斜視図
【図４】図３の状態の紙製ケースの断面図
【図５】紙製ケース内へ収納する円筒状製品を保持するトレーの展開図
【図６】図５と同じトレーの斜視図
【図７】トレーに載置した円筒状製品を紙製ケースに収納している状態の斜視図
【図８】図５のトレー上に載置した円筒状製品を収納した紙製ケースの断面図
【図９】他の実施例に係るトレーの展開図
【図１０】図９と同じトレーの斜視図
【図１１】図９のトレーに載置した円筒状製品を収納した紙製ケースの断面図
【図１２】更に他の実施例に係るトレーの展開図
【図１３】扁平な状態にした図１２と同じトレーの斜視図
【図１４】角筒状に形成した状態の図１２と同じトレーの斜視図
【図１５】図１２のトレーに載置した円筒状製品を収納した紙製ケースの断面図
【図１６】図１２のトレーの展開例を示すもので、図１２のトレー上に載置した山形巻きの連結ファスナーを紙製ケース内に収納した状態の断面図
【図１７】フラット巻きの連結ファスナーを示す斜視図
【図１８】山形巻きの連結ファスナーを示す斜視図
【符号の説明】
【００４４】
１  紙製ケース
３  側面片
１１  切込み
１２  折曲げ片
１３  折曲げ部
２０、３０  トレー
２１、３１  載置部
２２、３２  側片
２３、３３  折曲げ部
２４、３４  スリット
２５、３５  折曲げ片
３０  トレー
【図１】
2005343519.tif 000003
【図２】
2005343519.tif 000004
【図３】
2005343519.tif 000005
【図４】
2005343519.tif 000006
【図５】
2005343519.tif 000007
【図６】
2005343519.tif 000008
【図７】
2005343519.tif 000009
【図８】
2005343519.tif 000010
【図９】
2005343519.tif 000011
【図１０】
2005343519.tif 000012
【図１１】
2005343519.tif 000013
【図１２】
2005343519.tif 000014
【図１３】
2005343519.tif 000015
【図１４】
2005343519.tif 000016
【図１５】
2005343519.tif 000017
【図１６】
2005343519.tif 000018
【図１７】
2005343519.tif 000019
【図１８】
2005343519.tif 000020